(57)【要約】【課題】撮影モードに応じて、シャッタ信号をレンズユニットからカメラ本体へ効率良く送信することが可能なデジタルカメラを提供する。【解決手段】デジタルカメラ１０は、カメラ本体１１と、このカメラ本体１１に着脱自在に装着されるレンズユニット１２とで構成されている。レンズユニット１２には、アンテナ１７が設けられており、カメラ本体１１には、アンテナ２７が設けられている。リモート撮影モードでは、シャッタボタン２５が押圧された時に、これらのアンテナ１７，２７によって、シャッタ信号Ｓ１，Ｓ２の各々がレンズユニット１２へ無線で送信される。また、通常撮影モードでは、シャッタボタン２５が押圧された時に、信号線８１ａ，８１ｂ、信号線８２ａ，８２ｂの各々によって、シャッタ信号Ｓ１，Ｓ２の各々が、カメラ本体１１へ有線で送信される。【選択図】図５
2007096421.tif 000002
【特許請求の範囲】
【請求項１】
撮影レンズと、この撮影レンズによって結像された被写体像を撮像する固体撮像素子とを有するレンズユニットがカメラ本体に着脱自在に装着され、前記カメラ本体に設けられたシャッタボタンの操作によって撮影が実行されるデジタルカメラにおいて、
前記レンズユニットと前記カメラ本体との間でデータを無線で送受信する無線送受信手段と、
前記レンズユニットが前記カメラ本体に装着された時に前記レンズユニットと前記カメラ本体との間で電気的に接続され、前記シャッタボタンの操作タイミングに連動して前記カメラ本体から前記レンズユニットへ送信されるシャッタ信号を伝送する信号線と、
前記レンズユニットを前記カメラ本体に装着させて撮影を行う通常撮影モードでは、前記信号線によって前記シャッタ信号を送信させ、前記レンズユニットを前記カメラに装着させずに撮影を行うリモート撮影モードでは、前記無線送受信手段を制御して、前記シャッタ信号を前記カメラ本体から前記レンズユニットに無線で送信させる制御手段と、
を備えていることを特徴とするデジタルカメラ。
【請求項２】
前記レンズユニットが前記カメラ本体に装着されたことを検出する装着検出手段を備え、前記制御手段は、前記装着検出手段によって装着が検出された場合、前記通常撮影モードに設定し、前記装着検出手段によって装着が検出されない場合、前記リモート撮影モードに設定することを特徴とする請求項１記載のデジタルカメラ。
【請求項３】
前記レンズユニットと前記カメラ本体との間でデータを有線で送受信する有線送受信手段を備え、前記通常撮影モードでは、前記レンズユニットによって前記シャッタ信号が受信された後、前記固体撮像素子によって撮像された画像データが、前記有線送受信手段によって前記カメラ本体に送信されることを特徴とする請求項１または請求項２記載のデジタルカメラ。
【請求項４】
前記リモート撮影モードでは、前記レンズユニットによって前記シャッタ信号が受信された後、前記固体撮像素子によって撮像された画像データが、前記レンズユニット側の記憶手段に記憶されることを特徴とする請求項１ないし請求項３のいずれか記載のデジタルカメラ。
【発明の詳細な説明】
【技術分野】
【０００１】
本発明は、撮影レンズ及び固体撮像素子を有するレンズユニットが、カメラ本体に着脱自在に装着されるデジタルカメラに関する。
【背景技術】
【０００２】
近年、ＣＣＤイメージセンサ等の固体撮像素子によって撮像された画像データを記録するデジタルカメラが一般に普及している。また、撮影レンズ及び固体撮像素子を有するレンズユニットが、カメラ本体に着脱自在に装着されるデジタルカメラが知られている（例えば、特許文献１参照）。
【０００３】
さらに、画像データの圧縮率を変更可能な画像圧縮手段をレンズユニット内に備え、レンズユニットをカメラ本体に装着しない状態で撮影を行う時（リモート撮影時）に、画像データを高い圧縮率で圧縮してカメラ本体に無線で送信し、レンズユニットをカメラ本体に装着した状態で撮影を行う時（通常撮影時）に、画像データを低い圧縮率で圧縮して、カメラ本体に有線で送信するデジタルカメラが知られている（例えば、特許文献２参照）。この特許文献２に記載のデジタルカメラでは、リモート撮影時と通常撮影時とで、レンズユニットからカメラ本体へ送信される画像データの圧縮率を変更することによって、スルー画をカメラ本体へ効率良く送信することができる。
【特許文献１】特開平８−１７２５６１号公報
【特許文献２】特開平１０−１１７３０２号公報
【発明の開示】
【発明が解決しようとする課題】
【０００４】
しかしながら、上記特許文献２のデジタルカメラでは、カメラ本体のシャッタボタンが操作された時に、この操作タイミングに連動してレンズユニットに送信されるシャッタ信号については考慮されていない。シャッタ信号が、レンズユニットへ効率良く送信されないと、シャッタボタンの操作とレンズユニットの撮像処理との間にタイムラグが発生するため、シャッタ信号をレンズユニットに効率良く送信することが可能なデジタルカメラが望まれていた。
【０００５】
本発明は、上記事情に鑑みてなされたものであり、撮影モードに応じて、シャッタ信号をレンズユニットからカメラ本体へ効率良く送信することが可能なデジタルカメラを提供することを目的とする。
【課題を解決するための手段】
【０００６】
上記課題を解決するために、本発明のデジタルカメラは、撮影レンズと、この撮影レンズによって結像された被写体像を撮像する固体撮像素子とを有するレンズユニットがカメラ本体に着脱自在に装着され、前記カメラ本体に設けられたシャッタボタンの操作によって撮影が実行されるデジタルカメラであり、前記レンズユニットと前記カメラ本体との間でデータを無線で送受信する無線送受信手段と、前記レンズユニットが前記カメラ本体に装着された時に前記レンズユニットと前記カメラ本体との間で電気的に接続され、前記シャッタボタンの操作タイミングに連動して前記カメラ本体から前記レンズユニットへ送信されるシャッタ信号を伝送する信号線と、前記レンズユニットを前記カメラ本体に装着させて撮影を行う通常撮影モードでは、前記信号線によって前記シャッタ信号を送信させ、前記レンズユニットを前記カメラに装着させずに撮影を行うリモート撮影モードでは、前記無線送受信手段を制御して、前記シャッタ信号を前記カメラ本体から前記レンズユニットに無線で送信させる制御手段とを備えていることを特徴とするものである。
【０００７】
また、前記レンズユニットが前記カメラ本体に装着されたことを検出する装着検出手段を備え、前記制御手段は、前記装着検出手段によって装着が検出された場合、前記通常撮影モードに設定し、前記装着検出手段によって装着が検出されない場合、前記リモート撮影モードに設定することが好ましい。
【０００８】
さらに、前記リモート撮影モードでは、前記レンズユニットによって前記シャッタ信号が受信された後、前記固体撮像素子によって撮像された画像データが、前記レンズユニット側の記憶手段に記憶されることが好ましい。
【０００９】
また、前記レンズユニットと前記カメラ本体との間でデータを有線で送受信する有線送受信手段を備え、前記通常撮影モードでは、前記レンズユニットによって前記シャッタ信号が受信された後、前記固体撮像素子によって撮像された画像データが、前記有線送受信手段によって前記カメラ本体に送信されることが好ましい。
【発明の効果】
【００１０】
本発明のデジタルカメラによれば、レンズユニットをカメラ本体に装着させて撮影を行う通常撮影モードでは、シャッタ信号が信号線によってカメラ本体からレンズユニットに直接送信され、レンズユニットをカメラ本体に装着させずに撮影を行うリモート撮影モードでは、シャッタ信号が無線送受信手段によってカメラ本体からレンズユニットに送信されるので、撮影モードに応じて最適な方法で、シャッタ信号をカメラ本体に効率良く伝送することが可能である。このため、シャッタボタンの操作と、固体撮像素子によって行われる撮像処理との間に発生するタイムラグを少なくして、迅速な撮影処理を実行することができ、シャッタチャンスを逃すことを防止できる。
【００１１】
また、レンズユニットがカメラ本体に装着されたことを検出する装着検出手段を備えているので、通常撮影モードとリモート撮影モードとを自動的に切り替えることが可能である。このため、通常撮影モードとリモート撮影モードとを切り替え操作する手間を省略することができる。
【００１２】
通常撮影モードでは、固体撮像素子によって撮像された画像データが、有線通信手段によってカメラ本体に送信されるが、リモート撮影モードでは、画像データがレンズユニット側の記憶手段に記憶されるので、無線通信手段によって画像データをレンズユニットからカメラ本体に送信する場合と比べて、撮影処理に要する時間を短縮することが可能である。
【発明を実施するための最良の形態】
【００１３】
図１に示すデジタルカメラ１０は、カメラ本体１１と、レンズユニット１２とを備えて構成されており、レンズユニット１２は、カメラ本体１１に着脱自在に装着される。このデジタルカメラ１０は、レンズユニット１２をカメラ本体１１に装着させて撮影を行う通常撮影モードと、レンズユニット１２をカメラ本体１１に装着させずに撮影を行うリモート撮影モードとの２つの撮影モードを有している。
【００１４】
レンズユニット１２の前面には、撮影レンズ１３が露呈されており、背面にはマウント部１４が設けられている。このマウント部１４は、３つのバヨネット爪１５を備え、これらが外周に沿って等間隔に配置されている。また、このレンズユニット１２内には、撮影レンズ１３によって結像された被写体像を撮像する固体撮像素子であるＣＣＤイメージセンサ（以下、単にＣＣＤと称する）１６が設けられている。さらに、レンズユニット１２の外周面には、カメラ本体１１との間でデータを無線で送受信する無線送受信手段であるアンテナ１７が設けられている。
【００１５】
また、カメラ本体１１の前面には、マウント部１８が設けられている。このマウント部１８は、３つのバヨネット溝１９を備えており、これらは外周に沿って等間隔に配置されている。前述のレンズユニット１２をカメラ本体１１に装着する場合、バヨネット爪１５をバヨネット溝１９に位置合わせして押し込み、時計回りに回転させることによって、レンズユニット１２がカメラ本体１１に装着される。
【００１６】
なお、前述のレンズユニット１２としては、撮影レンズ１３の焦点距離が異なるものや、ＣＣＤ１６の画素数が異なるもの、モノクロ撮影が可能なもの、赤外線撮影が可能なもの等の複数種類のものが用意される。
【００１７】
マウント部１８には、ロックピン２０が設けられており、レンズユニット１２がカメラ本体１１に装着された時に、このロックピン２０が、レンズユニット１２の背面に形成されたピン孔（図示せず）と係合して、レンズユニット１２の回転がロックされる。このため、レンズユニット１２が回転して、カメラ本体１１から脱落することが防止される。
【００１８】
さらに、マウント部１８には、前方に向かってバネ付勢されたマウント蓋２１が設けられており、レンズユニット１２が装着されていない時に、カメラ本体１１内に塵埃が侵入することが防止されている。
【００１９】
また、マウント部１８の近傍には、ロック解除ボタン２２が設けられている。レンズユニット１２がカメラ本体１１に装着されている時に、このロック解除ボタン２２が押圧操作されると、この操作に連動してロックピン２０が後方に移動し、ロックピン２０とピン孔（図示せず）との係合が解除される。このため、ロック解除ボタン２２を押圧しながら、レンズユニット１２を回転させることによって、レンズユニット１２をカメラ本体１１から取り外すことができる。
【００２０】
カメラ本体１１の前面上部には、ストロボ２４が設けられている。また、カメラ本体１１の上面には、撮影時に押圧操作されるシャッタボタン２５と、撮影モードと再生モードとを切り替える時に回転操作される切り替えダイヤル２６と、レンズユニット１２との間でデータを無線で送受信する無線送受信手段であるアンテナ２７とが設けられている。また、背面には、後述する電源操作ボタン（図４参照）７８、及びＬＣＤ（図４参照）７１が設けられている。
【００２１】
前述のバヨネット爪１５の背面には、図２に示すように、マウント接点３０が設けられている。このマウント接点３０は、２４個の接点ＰＬ１〜ＰＬ２４で構成され、各バヨネット爪１５に８個ずつ設けられている。
【００２２】
また、マウント部１８には、図３に示すように、マウント接点３１が設けられている。このマウント接点３１は、前述のマウント接点３０と同様に、２４個の接点ＰＢ１〜ＰＢ２４で構成され、各接点ＰＢ１〜ＰＢ２４は、レンズユニット１２がカメラ本体１１に装着された時に、前述の接点ＰＬ１〜ＰＬ２４の各々と接続される位置に配置されている。
【００２３】
次に、レンズユニット１２の電気的構成について説明する。図４に示すように、レンズユニット１２には、ユニット内の各部を制御するユニット制御部４０が設けられている。ユニット制御部４０は、各部を制御する制御プログラムが記憶されたＲＯＭ４０ａと、作業用データを一時的に記憶するＲＡＭ４０ｂとを備えている。ユニット制御部４０は、この制御プログラムに基づいて各部を制御する。
【００２４】
ユニット制御部４０には、ＣＣＤドライバ４１を介してＣＣＤ１６が接続されている。ユニット制御部４０は、ＣＣＤドライバ４１を制御することによってＣＣＤ１６を駆動する。ＣＣＤ１６は、撮影レンズ１３によって結像された被写体像を光電変換によって電気信号に変換し、撮像信号を出力する。
【００２５】
このＣＣＤ１６は、アナログ信号処理部４２と接続されており、撮像信号がアナログ信号処理部４２に出力される。アナログ信号処理部４２は、データバス４３を介してユニット制御部４０に接続されており、ユニット制御部４０によって制御される。アナログ信号処理部４２は、撮像信号に対してノイズの除去や増幅処理を施して、Ａ／Ｄ変換器４４に出力する。その後、ノイズの除去や増幅が施された撮像信号は、Ａ／Ｄ変換器４４によってアナログ信号からデジタル信号に変換され、画像データとして出力される。
【００２６】
Ａ／Ｄ変換器４４には、ＡＥ／ＡＦ検出部４５が接続されており、画像データが入力される。ＡＥ／ＡＦ検出部４５は、ユニット制御部４０によって制御され、画像データに基づいて、露出が最適となるＡＥ検出値を検出してＡＥ検出値を出力する。さらに、ＡＥ／ＡＦ検出部４５は、画像データの高周波成分を積分して、この積分値が最大となるＡＦ検出値を出力する。
【００２７】
このＡＥ／ＡＦ検出部４５は、データバス４３を介してユニット制御部４０に接続されており、前述のＡＥ検出値及びＡＦ検出値がユニット制御部４０に出力される。ユニット制御部４０は、ＡＥ検出値に基づいてＣＣＤ１６の電子シャッタ速度を制御し、さらに、ＡＦ検出値に基づいて、図示せぬモータを制御して、撮影レンズ１３のフォーカスレンズを合焦位置に移動させる。
【００２８】
また、Ａ／Ｄ変換器４４には、デジタル信号処理部４６が接続されている。このデジタル信号処理部４６は、Ａ／Ｄ変換器４４から取得した画像データに対して、ＹＣ変換処理や、階調変換処理や、ホワイトバランス補正等の各種画像処理を施す。また、データバス４３には、ユニット制御部４０、アナログ信号処理部４２、ＡＥ／ＡＦ検出部４５、及びデジタル信号処理部４６の他に、圧縮処理部４７、シリアルドライバ４８、無線Ｉ／Ｆ４９、及び不揮発性メモリ５０が接続されており、これらは、ユニット制御部４０によって制御される。
【００２９】
圧縮処理部４７は、アナログ信号処理部４２によって各種画像処理が施されたスルー画用の画像データや、記録用の画像データに対して圧縮処理を施す。
【００３０】
また、シリアルドライバ４８は、マウント接点３０に接続されており、データをパラレル信号からシリアル信号に変換して、マウント接点３０を介してカメラ本体１１に送信し、さらに、マウント接点３０を介してカメラ本体１１からデータを受信し、シリアル信号からパラレル信号に変換する有線送受信手段である。
【００３１】
このシリアルドライバ４８は、ＬＶＤＳ（Low Voltage Differential Signaling）回路と、ＵＡＲＴ（Universal Asynchronous Receiver Transmitter）とを備えている。ＬＶＤＳ回路は、抵抗の両端の電位差を利用した低振幅の差動方式でデータをシリアル転送する回路であり、画像データをカメラ本体１１へ転送する。また、ＵＡＲＴによって、カメラ本体１１との間で制御信号等のデータが送受信される。
【００３２】
また、無線Ｉ／Ｆ４９は、アンテナ１７に接続されている。画像データや制御信号等のデータは、無線Ｉ／Ｆ４９によって無線送信用のデータに変換され、アンテナ１７によってカメラ本体１１に送信される。また、このアンテナ１７は、カメラ本体１１から送信された制御信号等のデータを受信する。
【００３３】
不揮発性メモリ５０には、リモート撮影モードにて撮影処理が実行された時に、圧縮処理部４７によって圧縮処理が施された記録用の画像データが記憶される。
【００３４】
また、マウント接点３０には、電源制御部５２が接続されている。この電源制御部５２には、バッテリ５３、及びＤＣ／ＤＣコンバータ５４が接続されており、さらに、バッテリ５３は、ＤＣ／ＤＣコンバータ５４に接続されている。電源制御部５２は、ＤＣ／ＤＣコンバータ５４を制御して、バッテリ５３から供給される電圧を所定の電圧に降圧させて、レンズユニット１２内の各部に電源供給させる。また、電源制御部５２、及びＤＣ／ＤＣコンバータ５４は、マウント接点３０に接続されている。
【００３５】
また、電源制御部５２には、電源操作部５５が接続されており、この電源操作部５５の操作によって電源制御部５２がＯＮ／ＯＦＦされる。電源制御部５２が、電源操作部５５の操作によってＯＮされた時に、各部への電源供給が開始される。
【００３６】
次に、カメラ本体１１の電気的構成について説明する。カメラ本体１１には、本体内の各部を制御する本体制御部６０が設けられている。本体制御部６０は、各部を制御する制御プログラムが記憶されたＲＯＭ６０ａと、作業用データを一時的に記憶するＲＡＭ６０ｂとを備えている。本体制御部６０は、この制御プログラムに基づいて各部を制御する。
【００３７】
本体制御部６０には、データバス６１を介して、シリアルドライバ６２、無線Ｉ／Ｆ６３、圧縮伸張処理部６４、ＬＣＤドライバ６５、メディアコントローラ６６、ストロボ制御部６７、及びＩ／Ｏポート６８が接続されており、これらは、本体制御部６０によって制御される。
【００３８】
シリアルドライバ６２は、マウント接点３１に接続されており、データをパラレル信号からシリアル信号に変換して、マウント接点３１を介してレンズユニット１２に送信し、さらに、マウント接点３１を介してレンズユニット１２からデータを受信し、シリアル信号からパラレル信号に変換する有線送受信手段である。
【００３９】
このシリアルドライバ６２は、前述のシリアルドライバ４８と同様に、ＬＶＤＳ回路と、ＵＡＲＴとを備えており、ＬＶＤＳ回路によって画像データの受信が行われ、ＵＡＲＴによって、レンズユニット１２との間で制御信号の送受信が行われる。
【００４０】
無線Ｉ／Ｆ６３は、アンテナ２７に接続されている。このアンテナ２７は、画像データや制御信号等のデータをレンズユニット１２との間で送受信する無線送受信手段である。制御信号等のデータは、無線Ｉ／Ｆ６３によって無線送信用のデータに変換され、アンテナ２７によってレンズユニット１２に送信される。また、このアンテナ２７は、レンズユニット１２から送信された画像データや制御信号等のデータを受信する。
【００４１】
圧縮伸張処理部６４は、レンズユニット１２から受信した画像データに対して、圧縮処理や、伸長処理を施す。また、この圧縮伸張処理部６４は、後述する記録メディア７２に記録された画像データを再生する時に、この画像データに対して伸長処理を施す。
【００４２】
ＬＣＤドライバ６５には、レンズユニット１２から受信したスルー画用の画像データや、記録メディア７２に記録された画像データが入力され、ＬＣＤドライバ６５は、ＬＣＤ７１にスルー画や、再生画像を表示させる。
【００４３】
メディアコントローラ６６は、レンズユニット１２から受信した記録用の画像データを記録メディア７２に記録するとともに、記録メディア７２に記録された画像データの読み出しを行う。また、ストロボ制御部６７は、ストロボ２４を制御してストロボ光を発光させる。Ｉ／Ｏポート６８は、マウント接点３１を介してレンズユニット１２との間で信号の送受信を行う。なお、記録メディア７２は、例えば、カメラ本体１１に対して着脱自在に装填されるメモリカードである。
【００４４】
また、カメラ本体１１内には、電源制御部７５が設けられており、この電源制御部７５には、バッテリ７６、及びＤＣ／ＤＣコンバータ７７が接続されており、バッテリ７６とＤＣ／ＤＣコンバータ７７は、互いに接続されている。また、電源制御部７５には、電源操作部７８が接続されている。
【００４５】
また、電源制御部７５は、電源操作部７８から操作信号が入力されてＯＮ／ＯＦＦされ、電源操作部７８の操作によってＯＮにされた時に、ＤＣ／ＤＣコンバータ７７を制御することによって、バッテリ７６の電圧を所定電圧に降圧して、本体内の各部へ供給させる。また、バッテリ７６は、マウント接点３１と接続されており、レンズユニット１２側に電源供給することが可能にされている。
【００４６】
また、本体制御部６０には、シャッタボタン２５と、切り替えダイヤル２６とが接続されている。シャッタボタン２５は、半押しされた時にシャッタ信号Ｓ１を出力し、全押しされた時にシャッタ信号Ｓ２を出力する。また、切り替えダイヤル２６は、撮影モードと再生モードとに対応する操作信号を出力する。
【００４７】
本体制御部６０は、これらからシャッタ信号Ｓ１，Ｓ２や、操作信号を取得し、各信号に対応する処理を実行する。また、シャッタボタン２５は、マウント接点３１に接続されており、レンズユニット１２がカメラ本体１１に装着されている場合、シャッタ信号Ｓ１，Ｓ２がレンズユニット１２に直接送信される。
【００４８】
以下に、カメラ本体１１とレンズユニット１２との間のデータの送受信について説明する。図５に示すように、シリアルドライバ４８は、接点ＰＬ１〜ＰＬ１９と接続されており、各接点を介してカメラ本体１１との間でデータの送受信を行う。また、シリアルドライバ６２は、接点ＰＢ１〜ＰＢ１９と接続されており、各接点を介してレンズユニット１２との間でデータの送受信を行う。
【００４９】
カメラ本体１１側の各接点ＰＢ１〜ＰＢ２４は、レンズユニット１２がカメラ本体１１に装着された時に、レンズユニット１２側の各接点ＰＬ１〜ＰＬ２４と接続される。例えば、接点ＰＬ１は、接点ＰＢ１と接続され、接点ＰＬ２４は、接点ＰＢ２４と接続される。
【００５０】
シャッタボタン２５は、信号線８１ａを介して接点ＰＢ２０と接続されており、信号線８２ａを介して接点ＰＢ２１と接続されている。また、ユニット制御部４０は、信号線８１ｂを介して接点ＰＬ２０と接続されており、信号線８２ｂを介して接点ＰＬ２１と接続されている。
【００５１】
前述の信号線８１ａ，８１ｂ，８２ａ，８２ｂは、シャッタ信号を伝送する専用の信号線である。レンズユニット１２がカメラ本体１１に装着されると、シャッタボタン２５は、信号線８１ａ，８１ｂと、信号線８２ａ，８２ｂとの２本の専用の信号線によって、ユニット制御部４０と接続される。
【００５２】
信号線８１ａ，８１ｂは、シャッタボタン２５が半押しされた時に、シャッタ信号Ｓ１をユニット制御部４０へ直接伝送する。また、信号線８２ａ，８２ｂは、シャッタボタン２５が全押しされた時に、シャッタ信号Ｓ２をユニット制御部４０へ直接伝送する。
【００５３】
カメラ本体１１側のバッテリ７６は、接点ＰＢ２２と接続されており、レンズユニット１２側のＤＣ／ＤＣ５４は、接点ＰＬ２２と接続されている。このため、レンズユニット１２がカメラ本体１１に装着された時に、ＤＣ／ＤＣ５４は、接点ＰＬ２２，ＰＢ２２を介してバッテリ７６と接続される。このため、バッテリ７６からＤＣ／ＤＣ５４に電源供給することが可能であり、レンズユニット１２内にバッテリ５３がセットされていない場合や、バッテリ５３の残量がない場合でも、バッテリ７６によってレンズユニット１２側を駆動することが可能である。
【００５４】
また、カメラ本体１１側のＩ／Ｏポート６８は、接点ＰＢ２３、及び接点ＰＢ２４と接続されており、接点ＰＢ２４には、プルアップ抵抗８０が接続されている。また、レンズユニット１２側の電源制御部５２は、接点ＰＬ２３と接続されており、接点ＰＬ２４は接地されている。
【００５５】
レンズユニット１２がカメラ本体１１に装着されたことを検出する装着検出部は、接点ＰＬ２４，ＰＢ２４と、プルアップ抵抗８０と、Ｉ／Ｏポート６８とで構成されている。レンズユニット１２がカメラ本体１１に装着されていない場合、接点ＰＢ２４の電位は、プルアップ抵抗８０によって例えば、５Ｖ程度に昇圧されており、Ｉ／Ｏポート６８には、Ｈｉ信号が入力される。また、レンズユニット１２がカメラ本体１１に装着された場合、接点ＰＢ２４は、接点ＰＬ２４と接続される。この接点ＰＬ２４は接地されているので、接点ＰＢ２４の電位は０Ｖとなり、Ｉ／Ｏポート６８にはＬｏｗ信号が入力される。
【００５６】
本体制御部６０は、Ｉ／Ｏポート６８から検出信号（Ｌｏｗ信号，Ｈｉ信号）を取得し、レンズユニット１２が装着されているか否かを判断する。
【００５７】
また、レンズユニット１２がカメラ本体１１に装着された時に、Ｉ／Ｏポート６８と、カメラ本体側の電源制御部５２とが、接点ＰＬ２３，ＰＢ２３を介して接続される。本体制御部６０は、電源操作部７８が操作されてバッテリ７６から電源供給された時に、Ｉ／Ｏポート６８を介して、レンズユニット１２側の電源制御部５２に対して電源制御信号を出力する。電源制御部５２は、この電源制御信号を取得した時に、各部への電源供給を開始して、レンズユニット１２の電源が自動的にＯＮにされる。
【００５８】
シリアルドライバ４８，６２は、各々のＬＶＤＳ回路を駆動し、例えば、接点ＰＬ１〜ＰＬ６，ＰＢ１〜ＰＢ６を介して、レンズユニット１２からカメラ本体１１へ画像データを伝送する。また、シリアルドイバ４８，６２は、各々のＵＡＲＴを駆動し、レンズユニット１２とカメラ本体１１との間で制御信号の送受信と、レンズユニット１２からカメラ本体１１へのステータス情報の送信とを行う。
【００５９】
次に、上記構成のデジタルカメラ１０の撮影処理について、図６のフローチャートを用いて説明する。電源操作部５５，７８が操作され、レンズユニット１２及びカメラ本体１１の電源がＯＮにされた後、切り替えダイヤル２６を操作することによって、撮影モードに設定される。
【００６０】
撮影モードに設定されると、レンズユニット１２がカメラ本体１１に装着されているか否かを判定する。この判定処理は、本体制御部６０が、Ｉ／Ｏポート６８からＬｏｗ信号を取得したか否かによって判定される。
【００６１】
レンズユニット１２がカメラ本体１１に装着されていると判定された場合、本体制御部６０は、撮影モードを通常撮影モードに設定し、レンズユニット１２が装着されていないと判定された場合、撮影モードをリモート撮影モードに設定する。
【００６２】
以下、通常撮影モードに設定された場合の処理について説明する。通常撮影モードに設定されると、ＣＣＤ１６によって撮像されたスルー画用の画像データが、シリアルドライバ４８，６２によってレンズユニット１２からカメラ本体１１へ有線で送信され、ＬＣＤ７１にスルー画が表示される。
【００６３】
前述のように、スルー画用の画像データをレンズユニット１２からカメラ本体１１に送信する場合、圧縮処理部４７によって圧縮処理を施した画像データを送信しても良いし、未圧縮の画像データを送信しても良い。圧縮処理を施して送信した場合、圧縮伸張処理部６４によって、スルー画用の画像データに対して伸長処理が施された後、ＬＣＤ７１にスルー画として表示される。
【００６４】
その後、シャッタボタン２５が半押しされると、信号線８１ａ，８１ｂによってシャッタ信号Ｓ１がユニット制御部４０に直接入力される。ユニット制御部４０は、シャッタ信号Ｓ１を取得すると、ＡＥ／ＡＦ検出部４５によって検出されたＡＥ評価値及びＡＦ評価値に基づいて各部を制御し、撮像準備処理を行う。シャッタボタン２５が半押しにされない場合、シャッタボタン２５が半押しされるまで待機状態となる。
【００６５】
その後、シャッタボタン２５が全押しされると、信号線８２ａ，８２ｂによってシャッタ信号Ｓ２がユニット制御部４０に直接入力される。ユニット制御部４０は、シャッタ信号Ｓ２を取得すると、各部を制御して撮像処理を実行させる。
【００６６】
ＣＣＤ１６によって撮像された記録用の画像データは、レンズユニット１２内で各種処理が施された後、シリアルドライバ４８，６２によってレンズユニット１２からカメラ本体１１へ有線で送信される。その後、メディアコントローラ６６によって、記録用の画像データが記録メディア７２に記録され、撮影処理が終了する。
【００６７】
前述のように、記録用の画像データをレンズユニット１２からカメラ本体１１に送信する場合、圧縮処理部４７によって圧縮処理を施した画像データを送信しても良いし、未圧縮の画像データを送信しても良い。未圧縮の画像データを送信した場合、画像データを記録メディア７２に記録する前に、圧縮伸張処理部６４によって、圧縮処理が施される。
【００６８】
次に、リモート撮影モードに設定された場合の処理について説明する。リモート撮影モードに設定されると、ＣＣＤ１６によって撮像され、各種処理が施されたスルー画用の画像データが、アンテナ１７，２７によって、レンズユニット１２からカメラ本体１１へ無線で送信され、ＬＣＤ７１にスルー画が表示される。
【００６９】
前述のように、スルー画用の画像データをレンズユニット１２からカメラ本体１１に無線で送信する場合、圧縮処理部４７によって、画像データに対して圧縮処理を施さなくても良いが、無線で画像データを送信する場合、有線の場合よりも速度が低下するので、圧縮処理を施してデータ容量を小さくして送信することが好ましい。
【００７０】
その後、シャッタボタン２５が半押しされたか否かを判定する。シャッタボタン２５が半押しされていないと判定された場合、シャッタボタン２５が半押しされるまで待機状態となる。
【００７１】
シャッタボタン２５が半押しされたと判定された場合、本体制御部６０は、無線Ｉ／Ｆ６３を制御して、アンテナ２７によって、カメラ本体１１にシャッタ信号Ｓ１を無線で送信する。このシャッタ信号Ｓ１は、アンテナ１７によって受信され、無線Ｉ／Ｆ４９を介してユニット制御部４０に入力される。
【００７２】
ユニット制御部４０は、シャッタ信号Ｓ１を取得すると、ＡＥ／ＡＦ検出部４５によって検出されたＡＥ評価値及びＡＦ評価値に基づいて各部を制御し、撮像準備処理を行う。
【００７３】
その後、シャッタボタン２５が全押しされたか否かを判定する。シャッタボタン２５が全押しされていないと判定された場合、シャッタボタン２５が全押しされるまで待機状態となる。また、シャッタボタン２５が全押しされたと判定された場合、シャッタ信号Ｓ２が、シャッタ信号Ｓ１と同様に、カメラ本体１１に無線で送信され、ユニット制御部４０に入力される。ユニット制御部４０は、シャッタ信号Ｓ２を取得すると、各部を制御して撮像処理を実行させる。
【００７４】
ＣＣＤ１６によって撮像された記録用の画像データは、レンズユニット１２内で各種処理が施された後、圧縮処理部４７によって圧縮処理が施される。その後、圧縮処理が施された記録用の画像データが不揮発性メモリ５０に記録され、撮影処理が終了する。
【００７５】
なお、リモート撮影モードにて撮影された画像データは、不揮発性メモリ５０に記録されるが、レンズユニット１２をカメラ本体１１に装着した時に、画像データが、レンズユニット１２内の不揮発メモリ５０からカメラ本体１１内の記録メディア７２に転送される。
【００７６】
また、上記撮影処理の説明において、リモート撮影モード時に、記録用の画像データをレンズユニット１２内の不揮発性メモリ５０に記録する場合について説明したが、不揮発性メモリ５０に記録せずに、アンテナ１７，２７によって画像データをカメラ本体１１に送信して、記録メディア７２に記録しても良い。しかし、記録用の画像データは、圧縮処理を行っても容量が大きく、無線で送信すると送信時間が長くなるので、不揮発性メモリ５０に記録することが好ましい。
【００７７】
前述したように、レンズユニット１２がカメラ本体１１に装着されていない場合でも、シャッタ信号Ｓ１，Ｓ２が、アンテナ１７，２７によってカメラ本体１１からレンズユニット１２に送信されるので、リモート撮影が可能である。
【００７８】
また、レンズユニット１２がカメラ本体１１に装着されている場合は、シャッタ信号Ｓ１，Ｓ２が、専用の信号線８１ａ，８１ｂ，８２ａ，８２ｂによってカメラ本体１１に直接送信されるので、シャッタボタン２５の操作と、撮像準備処理及び撮像処理との間に、タイムラグを発生させずに迅速な処理を実行することができる。
【００７９】
なお、上記実施形態において、リモート撮影モードにて撮影を行った場合、撮影された画像データが、レンズユニット内の不揮発性メモリに記録される場合を例に説明したが、レンズユニット内に着脱自在に装着される記録メディアに記録しても良い。
【００８０】
また、上記実施形態において、固体撮像素子としてＣＣＤイメージセンサを用いる場合を例に説明したが、これに限るものではなく、ＣＭＯＳイメージセンサを用いても良い。
【００８１】
さらに、上記実施形態において、本発明をデジタルカメラに適用した場合を例に説明したが、これに限るものではなく、例えば、レンズユニットがカメラ本体に着脱自在に装着されるデジタルビデオカメラに本発明を適用しても良い。
【図面の簡単な説明】
【００８２】
【図１】デジタルカメラの構成を示す斜視図である。
【図２】レンズユニットの背面側の構成を示す平面図である。
【図３】カメラ本体のマウント部の構成を示す平面図である。
【図４】デジタルカメラの電気的構成を示すブロック図である。
【図５】レンズユニットとカメラ本体間の信号の送受信を示すブロック図である。
【図６】デジタルカメラの撮影処理を説明するフローチャートである。
【符号の説明】
【００８３】
１０  デジタルカメラ
１１  カメラ本体
１２  レンズユニット
１３  撮影レンズ
１６  ＣＣＤ
１７，２７  アンテナ
２５  シャッタボタン
４０  ユニット制御部
４８，６２  シリアルドライバ
６０  本体制御部
８１ａ，８１ｂ，８２ａ，８２ｂ  信号線
【図１】
2007096421.tif 000003
【図２】
2007096421.tif 000004
【図３】
2007096421.tif 000005
【図４】
2007096421.tif 000006
【図５】
2007096421.tif 000007
【図６】
2007096421.tif 000008